(57)【要約】      （修正有）【課題】正確なデータを受信できる時計を提供する。【解決手段】時計１は、温度を測定して測定温度情報を出力する温度測定部１６と、測定温度情報に応じた情報を書き込む書き込み制御部１７と、書き込み制御部１７によって情報が書き込まれる記憶部１８、１９とを備える。【選択図】図２
2020173149.tif 000002
【特許請求の範囲】
【請求項１】
温度を測定して測定温度情報を出力する温度測定部と、
前記測定温度情報に応じた情報を書き込む書き込み制御部と、
前記書き込み制御部によって前記情報が書き込まれる記憶部とを備える
ことを特徴とする時計。
【請求項２】
請求項１に記載の時計において、
前記温度測定部は、基準測定期間に測定した温度を基準測定温度情報として出力し、書き込み測定期間に測定した温度を書き込み測定温度情報として出力し、
前記情報は、０と１とで構成されるデジタルデータであり、
前記書き込み制御部は、前記基準測定温度情報と前記書き込み測定温度情報とが同じ場合、０と１のうちの一方を前記記憶部に書き込み、前記基準測定温度情報と前記書き込み測定温度情報とが異なる場合、０と１のうちの他方を前記記憶部に書き込む
ことを特徴とする時計。
【請求項３】
請求項１または請求項２に記載の時計において、
前記情報は、歩度調整データを含み、
前記記憶部に書き込まれた前記歩度調整データに応じて、歩度調整を実行する歩度調整部を備える
ことを特徴とする時計。
【請求項４】
請求項１から請求項３のいずれか一項に記載の時計において、
前記情報は、仕様切替データを含み、
前記記憶部に書き込まれた前記仕様切替データに応じて、仕様を設定する仕様設定部を備える
ことを特徴とする時計。
【請求項５】
請求項１から請求項４のいずれか一項に記載の時計において、
時刻を表示する時刻表示動作と前記時刻表示動作とは異なる書き込み表示動作とを行う指針と、
前記時刻を表示する時刻表示モードと、前記書き込み制御部によって前記情報を書き込む書き込みモードとを設定するモード設定部と、
前記モード設定部により前記時刻表示モードが設定された場合、前記時刻表示動作を行うように前記指針の駆動を制御し、前記モード設定部により前記書き込みモードが設定された場合、前記書き込み表示動作を行うように前記指針の駆動を制御する駆動制御部と、を備える
ことを特徴とする時計。
【請求項６】
請求項５に記載の時計において、
前記情報は、０と１とで構成されるデジタルデータであり、
前記駆動制御部は、
前記書き込み制御部によって０が書き込まれる場合、前記書き込み表示動作として第１書き込み表示動作を行うように前記指針の駆動を制御し、
前記書き込み制御部によって１が書き込まれる場合、前記書き込み表示動作として前記第１書き込み表示動作とは異なる第２書き込み表示動作を行うように前記指針の駆動を制御する
ことを特徴とする時計。
【請求項７】
請求項１から請求項６のいずれか一項に記載の時計において、
外部操作部材と、
時刻を表示する時刻表示モードと、前記書き込み制御部によって前記情報を書き込む書き込みモードとを設定するモード設定部とを備え、
前記モード設定部は、前記外部操作部材の操作に応じて前記書き込みモードを設定する
ことを特徴とする時計。
【発明の詳細な説明】
【技術分野】
【０００１】
本発明は、時計に関する。
【背景技術】
【０００２】
特許文献１には、歩度調整機能を備えた指針式電子時計が開示されている。特許文献１の指針式電子時計は、指針を駆動するための変換機用コイルを備えており、当該変換機用コイルを、歩度調整装置との送受信を行う送受信用コイルとしても使用している。これにより、指針式電子時計は、当該変換機用コイルと歩度調整装置との間で、電磁信号により歩度調整に関するデータを送受信して歩度調整を実行している。
【先行技術文献】
【特許文献】
【０００３】
【特許文献１】特開平６−２０７９９２号公報
【発明の概要】
【発明が解決しようとする課題】
【０００４】
しかし、特許文献１の指針式電子時計では、変換機用コイルと歩度調整装置との間で、電磁信号により歩度調整に関するデータを送受信するため、電磁波によるノイズ等の外部環境の影響により、正確なデータを受信できない可能性があるといった問題があった。
【課題を解決するための手段】
【０００５】
本開示の時計は、温度を測定して測定温度情報を出力する温度測定部と、前記測定温度情報に応じた情報を書き込む書き込み制御部と、前記書き込み制御部によって前記情報が書き込まれる記憶部とを備える。
【０００６】
本開示の時計において、前記温度測定部は、基準測定期間に測定した温度を基準測定温度情報として出力し、書き込み測定期間に測定した温度を書き込み測定温度情報として出力し、前記情報は、０と１とで構成されるデジタルデータであり、前記書き込み制御部は、前記基準測定温度情報と前記書き込み測定温度情報とが同じ場合、０と１のうちの一方を前記記憶部に書き込み、前記基準測定温度情報と前記書き込み測定温度情報とが異なる場合、０と１のうちの他方を前記記憶部に書き込んでもよい。
【０００７】
本開示の時計において、前記情報は、歩度調整データを含み、前記記憶部に書き込まれた前記歩度調整データに応じて、歩度調整を実行する歩度調整部を備えていてもよい。
【０００８】
本開示の時計において、前記情報は、仕様切替データを含み、前記記憶部に書き込まれた前記仕様切替データに応じて、仕様を設定する仕様設定部を備えていてもよい。
【０００９】
本開示の時計において、時刻を表示する時刻表示動作と前記時刻表示動作とは異なる書き込み表示動作とを行う指針と、前記時刻を表示する時刻表示モードと、前記書き込み制御部によって前記情報を書き込む書き込みモードとを設定するモード設定部と、前記モード設定部により前記時刻表示モードが設定された場合、前記時刻表示動作を行うように前記指針の駆動を制御し、前記モード設定部により前記書き込みモードが設定された場合、前記書き込み表示動作を行うように前記指針の駆動を制御する駆動制御部と、を備えていてもよい。
【００１０】
本開示の時計において、前記情報は、０と１とで構成されたデジタルデータであり、前記駆動制御部は、前記書き込み制御部によって０が書き込まれる場合、前記書き込み表示動作として第１書き込み表示動作を行うように前記指針の駆動を制御し、前記書き込み制御部によって１が書き込まれる場合、前記書き込み表示動作として前記第１書き込み表示動作とは異なる第２書き込み表示動作を行うように前記指針の駆動を制御してもよい。
【００１１】
本開示の時計において、外部操作部材と、時刻を表示する時刻表示モードと、前記書き込み制御部によって前記情報を書き込む書き込みモードとを設定するモード設定部とを備え、前記モード設定部は、前記外部操作部材の操作に応じて前記書き込みモードを設定してもよい。
【図面の簡単な説明】
【００１２】
【図１】第１実施形態の時計を示す正面図。
【図２】第１実施形態の時計の概略構成を示すブロック図。
【図３】第１実施形態の温度比較回路を示す回路図。
【図４】第１実施形態のデータ書き込み処理を説明するフローチャート。
【図５】第１実施形態のデータ書き込み処理を示すタイミングチャート。
【図６】第２実施形態のデータ書き込み処理を示すタイミングチャート。
【図７】第３実施形態のデータ書き込み処理を示すタイミングチャート。
【図８】第４実施形態のデータ書き込み処理を示すタイミングチャート。
【発明を実施するための形態】
【００１３】
［第１実施形態］
以下、本開示の第１実施形態の時計１を図面に基づいて説明する。
図１は、時計１を示す正面図である。
図１に示すように、時計１は、ユーザーの手首に装着される所謂アナログクオーツ式の腕時計である。また、時計１は、円筒状の外装ケース２を備え、外装ケース２の内周側に、文字板３が配置されている。外装ケース２の２つの開口のうち、表面側の開口は、カバーガラスで塞がれており、裏面側の開口は裏蓋で塞がれている。
【００１４】
時計１は、外装ケース２内に収容された図示略のムーブメントと、時刻情報を表示する時針４Ａ、分針４Ｂ、秒針４Ｃとを備えている。文字板３には、カレンダー小窓３Ａが設けられており、カレンダー小窓３Ａから、日車６が視認可能となっている。また、文字板３には、時刻を指示するためのアワーマーク３Ｂが設けられている。
【００１５】
外装ケース２の側面には、りゅうず７が設けられている。りゅうず７は、時計１の中心に向かって押し込まれた０段位置から１段位置および２段位置に引き出されて移動することができる。
りゅうず７を１段位置に引いて回転すると、日車６を移動して日付を合わせることができる。りゅうず７を２段位置に引くと秒針４Ｃが停止し、２段位置でりゅうず７を回転すると、時針４Ａ、分針４Ｂが移動して時刻を合わせることができる。りゅうず７による日車６や時針４Ａ、分針４Ｂの修正方法は、従来の時計と同様であるため説明を省略する。
なお、りゅうず７は、本開示の外部操作部材の一例である。
【００１６】
［時計の概略構成］
図２は、時計１の概略構成を示すブロック図である。
図２に示すように、時計１は、ＩＣ１０と、電源２０と、水晶振動子３０と、モーター４０とを備える。本実施形態では、時計１は、所謂年差時計と呼ばれる時間精度を実現できるように構成されている。
電源２０は、一次電池や二次電池等で構成され、ＩＣ１０やモーター４０等を駆動させる。なお、電源２０を二次電池で構成した場合、別途、ソーラーセルや回転錘を用いた発電機等の充電装置を備えることが好ましい。
【００１７】
水晶振動子３０は、後述する発振回路１１により駆動されて発振信号を発生する。
モーター４０は、図示略のステーター、コイル、ローター等を備え、後述するドライバー１３２から出力される駆動電流によって駆動される。また、モーター４０は、図示略の輪列等を介して指針４Ａ〜４Ｃを駆動させる。
【００１８】
［ＩＣ］
ＩＣ１０は、発振回路１１と、分周回路１２と、駆動制御部１３と、モード設定回路１４と、温度測定回路１６と、書き込み制御部１７と、歩度調整部１８と、仕様設定部１９とを備える。さらに、ＩＣ１０は、電源端子ＶＤＤ、ＶＳＳと、接続端子ＧＡＴＥ、ＤＲＡＩＮ、Ｏ１、Ｏ２と、操作入力端子Ｐ１とを備える。なお、ＩＣは、Integrated Circuitの略語である。
【００１９】
本実施形態では、電源２０のプラス電極を、高電位側の電源端子ＶＤＤに接続し、マイナス電極を低電位側の電源端子ＶＳＳに接続して、低電位側の電源端子ＶＳＳを基準電位に設定している。接続端子ＧＡＴＥ、ＤＲＡＩＮには水晶振動子３０が接続され、接続端子Ｏ１、Ｏ２にはモーター４０が接続される。
また、操作入力端子Ｐ１には、りゅうず７の操作に応じた操作信号が入力される。
【００２０】
発振回路１１は、基準信号源である水晶振動子３０を高周波発振させ、この高周波発振で発生する所定周波数、具体的には32768Hzの発振信号を分周回路１２に出力する。
分周回路１２は、分周比を設定可能な分周カウンター等を備えて構成され、発振回路１１の出力を分周して、所定周波数の基準信号を作成する。そして、分周回路１２は、当該基準信号を駆動制御部１３や書き込み制御部１７に出力する。
【００２１】
駆動制御部１３は、パルス形成回路１３１と、ドライバー１３２とを備える。
パルス形成回路１３１は、分周回路１２から出力された基準信号に基づいて、モーター４０の駆動を制御する所定波形の駆動パルスを生成し、ドライバー１３２に出力する。また、パルス形成回路１３１は、モード設定回路１４により歩度測定モードが設定されると、歩度を測定するための歩度測定パルスを生成し、ドライバー１３２に出力する。本実施形態では、パルス形成回路１３１は、時計１で計時している時間としての１秒間に１回の頻度で歩度測定パルスを生成する。
ドライバー１３２は、パルス形成回路１３１から出力された駆動パルスに応じて、モーター４０のコイルに駆動電流を出力し、モーター４０を駆動させる。これにより、駆動制御部１３は、指針４Ａ〜４Ｃの駆動を制御する。また、ドライバー１３２は、モード設定回路１４により歩度測定モードが設定されると、パルス形成回路１３１から出力された歩度測定パルスに応じて、モーター４０のコイルに歩度測定電流を出力する。なお、歩度測定方法の詳細については後述する。
【００２２】
モード設定回路１４は、操作入力端子Ｐ１に入力された操作信号に基づいて、すなわち、りゅうず７の操作に応じてモードを設定する。具体的には、モード設定回路１４は、時刻を表示する時刻表示モードと、歩度を測定するための歩度測定モードと、書き込み制御部１７により情報を書き込む書き込み制御モードとを設定する。なお、歩度とは１日当たりの時刻の誤差である。また、モード設定回路１４は、本開示のモード設定部の一例である。
【００２３】
温度測定回路１６は、時計１が使用されている環境の温度に応じた測定温度情報Ｔを、書き込み制御部１７および歩度調整部１８に出力する。温度測定回路１６としては、ＣＲ発振回路を使用したものや、ダイオードを使用したものを利用できる。そして、温度測定回路１６は、ＣＲ発振回路やダイオードの温度特性を利用して変化する出力信号により、時計１の測定温度情報Ｔを出力可能に構成される。なお、温度測定回路１６は、本開示の温度測定部の一例である。
【００２４】
書き込み制御部１７は、書き込みモード移行回路１７１と、書き込み制御回路１７２とを備える。
書き込みモード移行回路１７１は、モード設定回路１４により書き込みモードが設定されると、書き込みモード移行信号を温度測定回路１６および書き込み制御回路１７２に出力する。
書き込み制御回路１７２は、書き込みモード移行回路１７１から出力された書き込みモード移行信号に基づいて、書き込み処理を実行する。本実施形態では、書き込み制御回路１７２は、Ｎビットのデジタルデータを後述する歩度調整データ記憶部１８２に書き込み可能に構成されている。なお、書き込み処理の詳細については、後述する。
【００２５】
また、書き込み制御回路１７２は、第１カウンター１７２１と、第２カウンター１７２２と、温度比較回路１７２３とを備える。
第１カウンター１７２１は、後述する基準測定温度情報Ｔｓをラッチする。第２カウンター１７２２は、後述する書き込み測定温度情報Ｔｉをラッチする。
【００２６】
図３は、温度比較回路１７２３を示す回路図である。
図３に示すように、温度比較回路１７２３は、５つのＥＸ−ＮＯＲ回路と、１つのＯＲ回路から構成される。ＥＸ−ＮＯＲ回路は、それぞれ２入力とされ、ＯＲ回路は５入力とされている。
【００２７】
図２に戻って、歩度調整部１８は、歩度調整制御回路１８１と、歩度調整データ記憶部１８２とを備える。
歩度調整制御回路１８１は、温度測定回路１６から出力される測定温度情報Ｔと、歩度調整データ記憶部１８２に記憶された共通温度特性情報ＣＤおよび歩度調整データＩＤとに基づいて、分周回路１２から出力される基準信号を補正する。これにより、歩度調整制御回路１８１は歩度を調整可能に構成されている。
歩度調整データ記憶部１８２は、不揮発性メモリーから構成され、歩度調整データを記憶する。本実施形態では、歩度調整データ記憶部１８２は、共通温度特性情報ＣＤと、歩度調整データＩＤとを記憶する。
【００２８】
ここで、水晶振動子３０は、温度に応じて発振周波数が変化することから、これに応じて分周回路１２で分周される基準信号の周波数も変化する。そこで、歩度調整データ記憶部１８２は、理想的な水晶振動子３０および温度測定回路１６の場合に、ある温度でどれだけ歩度を補正すればよいかが設定された共通温度特性情報ＣＤを記憶する。
【００２９】
また、水晶振動子３０や温度測定回路１６は、製造による個体差によって特性が異なる。さらに、ＩＣ１０を外装ケース２に組み込む際に、ＩＣ１０に加わる応力や浮遊容量が変化することで、水晶振動子３０や発振回路１１の特性が変化することがある。そこで、歩度調整データ記憶部１８２は、理想的な水晶振動子３０および発振回路１１に対して、製造時の個体差や組み込み時に生じる特性変化をどれだけ補正すれば良いかを設定した歩度調整データＩＤを記憶する。なお、歩度調整データＩＤは、本開示の情報の一例である。また、歩度調整データＩＤの算出方法については後述する。
【００３０】
仕様設定部１９は、仕様設定回路１９１と、仕様切替データ記憶部１９２とを備える。
仕様設定回路１９１は、仕様切替データ記憶部１９２に記憶された仕様切替データＳＤに応じて、パルス形成回路１３１の仕様を切り替える。
ここで、指針４Ａ〜４Ｃの大きさやモーター４０の仕様等によって、パルス形成回路１３１で生成する駆動パルスの最適な波形は異なる。そこで、仕様設定回路１９１は、仕様切替データＳＤに応じて、パルス形成回路１３１の仕様を切り替えることにより、指針４Ａ〜４Ｃやモーター４０に応じた最適な波形の駆動パルスをパルス形成回路１３１に生成させる。
そして、仕様切替データ記憶部１９２に、指針４Ａ〜４Ｃやモーター４０に応じた仕様切替データＳＤを記憶する。
なお、仕様切替データ記憶部１９２は、指針４Ａ〜４Ｃやモーター４０に応じた仕様切替データＳＤを記憶することに限定されるものではなく、例えば、クロノグラフやデュアルタイム等の時計機能に応じた仕様切替データＳＤを記憶していてもよい。この場合、仕様設定回路１９１は、上記時計機能に応じた最適な波形の駆動パルスをパルス形成回路１３１に生成させる。
【００３１】
［歩度測定方法および歩度調整データ算出方法］
次に、歩度測定方法について説明する。
先ず、作業者は、りゅうず７に対して、歩度測定モードを設定するための特定の操作を実行する。そうすると、モード設定回路１４は、りゅうず７の上記操作に応じて、時計１のモードを歩度測定モードに設定する。
そして、歩度測定モードが設定されると、パルス形成回路１３１は、歩度測定パルスを生成する。また、ドライバー１３２は、歩度測定パルスに応じた歩度測定電流をモーター４０のコイルに出力する。これにより、モーター４０のコイルには、歩度測定電流に応じた磁界が発生する。この磁界は、パルス形成回路１３１により生成される歩度測定パルスに応じて、時計１で計時する時間としての１秒間隔で変化する。歩度測定装置は、この磁界の変化を検出することにより、歩度を測定する。具体的には、歩度測定装置は、磁界の変化する間隔を検出し、時計１で計時する１秒間の実際の時間を検出して、歩度を測定する。
なお、上記歩度測定では、磁界の変化を繰り返し検出し、その平均値から時計１で計時する１秒間を算出する。そのため、当該歩度測定においては、電磁波によるノイズ等の影響は小さい。
【００３２】
次に、本実施形態では、例えば、作業者は、１５℃、２５℃、３５℃における歩度を上記の要領で測定する。そして、作業者は、当該３点の歩度に関する測定情報から歩度調整データＩＤを、０と１とで構成されたデジタルデータとして算出する。
【００３３】
［書き込み処理の制御方法］
次に、本実施形態の書き込み処理の制御方法について、図４のフローチャートを用いて説明する。
本実施形態では、歩度調整データＩＤを構成する１０ビットのデジタルデータ「０１１１１０１０００」を、歩度調整データ記憶部１８２に書き込む処理を例示して説明する。
先ず、作業者は、恒温槽等を利用して、書き込み処理の開始時の時計１の温度を２５℃に設定する。
次に、図４に示すように、書き込みモード移行回路１７１により書き込みモード移行信号が出力されると、書き込み制御回路１７２は、ステップＳ１として、温度測定回路１６を制御して時計１の温度を測定して、基準測定温度情報Ｔｓを取得する。
そうすると、書き込み制御回路１７２の第１カウンター１７２１が動作し、基準測定温度情報Ｔｓに基づいたＣ１Ｄ１、Ｃ１Ｄ２、Ｃ１Ｄ３、Ｃ１Ｄ４、Ｃ１Ｄ５の５ビットのカウンター値が第１カウンター１７２１にラッチされる。そして、第１カウンター１７２１にラッチされた前述のカウンター値は温度比較回路１７２３に入力される。すなわち、基準測定温度情報Ｔｓが５ビットのデジタルデータとして、温度比較回路１７２３に入力される。本実施形態では、２５℃に相当する基準測定温度情報Ｔｓが、温度比較回路１７２３に入力される。なお、書き込み処理の開始において温度を測定する期間は、本開示の基準測定期間の一例である。
【００３４】
次に、書き込み制御回路１７２は、ステップＳ２として、桁数を示す「ｉ」に「１」を設定する。なお、本実施形態では、書き込み制御回路１７２は、１０ビットのデジタルデータとして構成される歩度調整データＩＤを、下位ビットから書き込むように構成されている。
なお、書き込み制御回路１７２は、歩度調整データＩＤを下位ビットから書き込むように構成されることに限定されるものではなく、歩度調整データＩＤを上位ビットから書き込むように構成されていてもよい。
【００３５】
次に、作業者は、恒温槽等を利用して、時計１の温度を所定の温度に設定する。そして、書き込み制御回路１７２は、ステップＳ３として、前回温度を測定してからの経過時間ｔが、あらかじめ設定されたｔ１を超えたか否かを判定する。本実施形態では、恒温槽等により時計１の温度が安定する時間を考慮して、ｔ１として３００秒が設定されている。
ステップＳ３でＮｏと判定した場合、書き込み制御回路１７２は、ステップＳ３に戻って処理を繰り返す。
【００３６】
ステップＳ３でＹｅｓと判定した場合、書き込み制御回路１７２は、温度測定回路１６を制御して時計１の温度を測定し、書き込み測定温度情報Ｔｉを取得する。
そうすると、書き込み制御回路１７２の第２カウンター１７２２が動作し、書き込み測定温度情報Ｔｉに基づいたＣ２Ｄ１、Ｃ２Ｄ２、Ｃ２Ｄ３、Ｃ２Ｄ４、Ｃ２Ｄ５の５ビットのカウンター値が第２カウンター１７２２にラッチされる。そして、第２カウンター１７２２にラッチされた前述のカウンター値は温度比較回路１７２３に入力される。すなわち、書き込み測定温度情報Ｔｉが５ビットのデジタルデータとして、温度比較回路１７２３に入力される。なお、ステップＳ３において温度を測定する期間は、本開示の書き込み測定期間の一例である。
【００３７】
次に、書き込み制御回路１７２は、ステップＳ５として、書き込み測定温度情報Ｔｉが基準測定温度情報Ｔｓと同じか否かを判定する。具体的には、温度比較回路１７２３に入力されたＣ２Ｄ１、Ｃ２Ｄ２、Ｃ２Ｄ３、Ｃ２Ｄ４、Ｃ２Ｄ５が、Ｃ１Ｄ１、Ｃ１Ｄ２、Ｃ１Ｄ３、Ｃ１Ｄ４、Ｃ１Ｄ５と一致するか否かを判定する。
【００３８】
ステップＳ５でＹｅｓと判定した場合、書き込み制御回路１７２は、ｉビット目のデータとして「０」をラッチする。具体的には、温度比較回路１７２３に入力されたＣ２Ｄ１、Ｃ２Ｄ２、Ｃ２Ｄ３、Ｃ２Ｄ４、Ｃ２Ｄ５と、Ｃ１Ｄ１、Ｃ１Ｄ２、Ｃ１Ｄ３、Ｃ１Ｄ４、Ｃ１Ｄ５とが一致した場合、温度比較回路１７２３は「０」を出力する。そして、書き込み制御回路１７２は、温度比較回路１７２３によって出力された「０」を、図示略のレジスタ等にラッチする。
【００３９】
一方、ステップＳ５でＮｏと判定した場合、書き込み制御回路１７２は、ｉビット目のデータとして「１」をラッチする。具体的には、温度比較回路１７２３に入力されたＣ２Ｄ１、Ｃ２Ｄ２、Ｃ２Ｄ３、Ｃ２Ｄ４、Ｃ２Ｄ５と、Ｃ１Ｄ１、Ｃ１Ｄ２、Ｃ１Ｄ３、Ｃ１Ｄ４、Ｃ１Ｄ５とが一致しない場合、温度比較回路１７２３は「１」を出力する。そして、書き込み制御回路１７２は、温度比較回路１７２３によって出力された「１」を、図示略のレジスタ等にラッチする。
【００４０】
次に、書き込み制御回路１７２は、ステップＳ８として、「ｉ＝Ｎ」であるか否かを判定する。なお、本実施形態では、前述したように、歩度調整データＩＤは１０ビットのデジタルデータとして構成されるので、Ｎとして「１０」が設定されている。
ステップＳ８でＮｏと判定した場合、書き込み制御回路１７２は、ステップＳ９として、「ｉ＝ｉ＋１」とする。そして、書き込み制御回路１７２は、ステップＳ３に戻って処理を繰り返す。
【００４１】
ステップＳ８でＹｅｓと判定した場合、書き込み制御回路１７２は、ステップＳ１０として、書き込み処理を開始してからの経過時間Ｄが、あらかじめ設定されたＤ１を超えたか否かを判定する。本実施形態では、Ｄ１として３６００秒が設定されている。
【００４２】
ステップＳ１０でＮｏと判定した場合、書き込み制御回路１７２は、ステップＳ１０に戻って処理を繰り返す。
ステップＳ１０でＹｅｓと判定した場合、書き込み制御回路１７２は、ステップＳ１１として、ラッチしたデジタルデータを歩度調整データ記憶部１８２に書き込む。そして、書き込み制御回路１７２は、書き込み処理を終了する。
本実施形態では、書き込み処理の開始時の時計１の温度を２５℃に設定し、その後、３００秒毎に時計１の温度を２５℃→２５℃→２５℃→３０℃→２５℃→３０℃→３０℃→３０℃→３０℃→２５℃に変化させて上記書き込み処理を実行させることにより、１０ビットのデジタルデータ「０１１１１０１０００」を書き込むことができる。
【００４３】
図５は、本実施形態の書き込み処理を示すタイミングチャートである。
図５に示すように、書き込み処理に先立ち、モード設定回路１４により歩度測定モードが設定される。そして、作業者は、前述した歩度測定方法および歩度調整データ算出方法により、歩度調整データＩＤを算出する。なお、歩度測定モードが設定されている間、時刻表示モードはオフになる。
また、同様に、書き込みモードが設定されている間も、時刻表示モードはオフになる。
【００４４】
書き込みモードが設定されると、温度測定回路１６および第１カウンター１７２１が動作する。これにより、前述したように、基準測定温度情報Ｔｓが温度比較回路１７２３に入力される。
【００４５】
その後、温度測定回路１６はｔ１間隔で動作し、温度測定回路１６の動作に合わせて第２カウンター１７２２が動作する。これにより、書き込み測定温度情報Ｔｉが温度比較回路１７２３に入力される。
【００４６】
そして、書き込み測定温度情報Ｔｉが温度比較回路１７２３に入力される毎に、比較結果ラッチクロックがオンして、歩度調整データＩＤを構成するデジタルデータが書き込み制御回路１７２にラッチされる。
その後、前述したように、書き込み処理が開始してからの経過時間ＤがＤ１を超えたら、書き込み制御回路１７２にラッチされたデジタルデータは、歩度調整データ記憶部１８２に記憶される。
【００４７】
［第１実施形態の作用効果］
このような本実施形態によれば、以下の効果を得ることができる。
本実施形態では、時計１は、測定温度情報Ｔを出力する温度測定回路１６と、歩度調整データＩＤを書き込む書き込み制御部１７と、書き込み制御部１７によって歩度調整データＩＤが書き込まれる歩度調整データ記憶部１８２とを備える。
これにより、作業者は、時計１の温度を所定の温度に設定することで、歩度調整データＩＤを歩度調整データ記憶部１８２に記憶させることができる。そのため、電磁信号により歩度調整データＩＤを受信する必要がないので、電磁波によるノイズ等の外部環境の影響を抑制でき、正確なデータを受信することができる。
【００４８】
本実施形態では、温度測定回路１６は、基準測定温度情報Ｔｓと書き込み測定温度情報Ｔｉとを出力する。また、歩度調整データＩＤは、「０」と「１」とで構成されるデジタルデータであり、書き込み制御回路１７２は、基準測定温度情報Ｔｓと書き込み測定温度情報Ｔｉとが同じ場合は「０」を書き込み、異なる場合は「１」を歩度調整データ記憶部１８２に書き込む。すなわち、書き込み制御回路１７２は、基準測定温度情報Ｔｓと書き込み測定温度情報Ｔｉとの比較により、「０」または「１」を書き込む。
これにより、書き込み制御回路１７２は、デジタルデータを書き込む上で、各温度に対応するデジタルデータを予め記憶しておく必要がない。そのため、書き込み制御回路１７２を小さくできるので、ＩＣ１０を小型化できる。
【００４９】
本実施形態では、時計１は、歩度調整データ記憶部１８２に書き込まれた共通温度特性情報ＣＤおよび歩度調整データＩＤに応じて、歩度調整を実行する歩度調整制御回路１８１を備える。
これにより、水晶振動子３０の温度に応じた発振周波数の変化や、個体差による発振周波数の誤差に伴う歩度を補正することができる。そのため、時計１における高い時計精度を維持することができる。
【００５０】
本実施形態では、時計１は、りゅうず７の操作に応じて、時刻表示モード、歩度測定モード、および書き込み制御モードを設定するモード設定回路１４を備える。
これにより、作業者はりゅうず７を操作することにより、任意のタイミングで歩度測定モードや書き込みモードを設定することができる。そのため、作業者の作業性を向上することができる。
【００５１】
［第２実施形態］
次に、本開示の第２実施形態について、図６に基づいて説明する。第２実施形態では、歩度調整データＩＤは、５ビットのデジタルデータとして構成される点で、前述した第１実施形態と異なる。また、第２実施形態では、書き込み処理において、歩度調整データＩＤに加えて、第１仕様切替データＳＤ１および第２仕様切替データＳＤ２が仕様切替データ記憶部１９２に書き込まれる点で、第１実施形態と異なる。
なお、第２実施形態において、第１実施形態と同一または同様の構成には同一符号を付し、説明を省略または簡略する。
【００５２】
図６は、第２実施形態の書き込み処理を示すタイミングチャートである。
図６に示すように、モード設定回路１４により書き込みモードが設定されて、書き込み制御回路１７２による書き込み処理が実行されると、前述した第１実施形態と同様に、歩度調整データＩＤが歩度調整データ記憶部１８２に書き込まれる。
本実施形態では、歩度調整データＩＤは、５ビットのデジタルデータとして構成される。作業者は、恒温槽等により、書き込み処理の開始時の時計１の温度を２５℃に設定し、その後、３００秒毎に時計１の温度を２５℃→２５℃→２５℃→３０℃→２５℃に変化させる。これにより、歩度調整データＩＤを構成する５ビットのデジタルデータ「０１０００」が書き込み制御回路１７２にラッチされる。そして、書き込み制御回路１７２は、ラッチした歩度調整データＩＤを歩度調整データ記憶部１８２に書き込む。
【００５３】
次に、作業者は、恒温槽等により、時計１の温度を３０℃に変化させる。そして、比較結果ラッチクロックがオンすると、第１仕様切替データＳＤ１を構成する１ビットのデジタルデータ「１」が書き込み制御回路１７２にラッチされる。そして、書き込み制御回路１７２は、ラッチした第１仕様切替データＳＤ１を仕様切替データ記憶部１９２に書き込む。
【００５４】
次に、作業者は、恒温槽等により時計１の温度を２５℃に変化させる。そして、比較結果ラッチクロックがオンすると、第２仕様切替データＳＤ２を構成する１ビットのデジタルデータ「０」が書き込み制御回路１７２にラッチされる。そして、書き込み制御回路１７２は、ラッチした第２仕様切替データＳＤ２を仕様切替データ記憶部１９２に書き込む。
【００５５】
これにより、仕様設定回路１９１は、仕様切替データ記憶部１９２に記憶された第１仕様切替データＳＤ１を構成するデジタルデータ「１」に応じて、パルス形成回路１３１の仕様を切り替えることができる。
また、本実施形態では、仕様設定回路１９１は、第２仕様切替データＳＤ２に応じて、温度の測定間隔ｔ１を３００秒から６００秒に切り替えるように構成されている。これにより、温度の測定間隔ｔ１を長くすることができるので、時計１の温度を所望の温度により確実に変化させることができる。
【００５６】
［第２実施形態の作用効果］
このような本実施形態によれば、以下の効果を得ることができる。
本実施形態では、時計１は、仕様切替データ記憶部１９２に書き込まれた仕様切替データＳＤに応じて、仕様を設定する仕様設定回路１９１を備える。
これにより、作業者は、指針４Ａ〜４Ｃやモーター４０に応じて、最適な波形の駆動パルスをパルス形成回路１３１に生成させるための仕様切替データＳＤを仕様切替データ記憶部１９２に書き込むことができる。そのため、例えば、大きさが異なる指針を利用した時計に対してＩＣ１０を共通化した場合に、モーターを適切に駆動させることができる。
【００５７】
［第３実施形態］
次に、本開示の第３実施形態について、図７に基づいて説明する。第３実施形態では、モード設定回路１４は、りゅうず７の操作に応じて、歩度調整データ書き込みモードと、仕様切替データ書き込みモードとを設定する点で、前述した第１、第２実施形態と異なる。
なお、第３実施形態において、第１、第２実施形態と同一または同様の構成には同一符号を付し、説明を省略または簡略する。
【００５８】
図７は、第３実施形態の書き込み処理を示すタイミングチャートである。
本実施形態では、りゅうず７に対して第１操作が実行された場合に、モード設定回路１４は、歩度調整データ書き込みモードを設定する。なお、第１操作としては、３秒未満の間にりゅうず７を０段位置から２段位置に移動させ、かつ、２段位置から０段位置に戻す操作等が例示される。
そして、書き込み制御回路１７２は、歩度調整データ書き込みモードが設定されると、歩度調整データ書き込み処理を実行する。
【００５９】
歩度調整データ書き込み処理が実行されると、前述した第１、第２実施形態と同様に、歩度調整データＩＤが歩度調整データ記憶部１８２に書き込まれる。
図７に示すように、本実施形態では、書き込み制御回路１７２は、歩度調整データＩＤを構成する５ビットのデジタルデータ「０１０００」を歩度調整データ記憶部１８２に書き込む。
【００６０】
また、本実施形態では、りゅうず７に対して、第１操作とは異なる第２操作が実行された場合に、モード設定回路１４は、仕様切替データ書き込みモードを設定する。なお、第１操作としては、３秒以上６秒未満の間にりゅうず７を０段位置から２段位置に移動させ、かつ、２段位置から０段位置に戻す操作等が例示される。
そして、書き込み制御回路１７２は、仕様切替データ書き込みモードが設定されると、仕様切替データ書き込み処理を実行する。
【００６１】
仕様切替データ書き込み処理が実行されると、仕様切替データＳＤが仕様切替データ記憶部１９２に書き込まれる。
図７に示すように、本実施形態では、書き込み制御回路１７２は、仕様切替データＳＤを構成する１ビットのデジタルデータ「０」を仕様切替データ記憶部１９２に書き込む。
【００６２】
［第３実施形態の作用効果］
このような本実施形態によれば、以下の効果を得ることができる。
本実施形態では、モード設定回路１４は、りゅうず７の操作に応じて、歩度調整データ書き込みモードと、仕様切替データ書き込みモードとを設定する。
これにより、作業者は、任意のタイミングで歩度調整データＩＤおよび仕様切替データＳＤをそれぞれ書き込むことができる。そのため、作業者の作業性を向上することができる。
【００６３】
［第４実施形態］
次に、本開示の第４実施形態について、図８に基づいて説明する。第４実施形態では、書き込みモードが設定された場合、駆動制御部１３は、書き込み表示動作を行うように秒針４Ｃの駆動を制御する点で、前述した第１〜３実施形態と異なる。
なお、第４実施形態において、第１〜３実施形態と同一または同様の構成には同一符号を付し、説明を省略または簡略する。
【００６４】
図８は、第４実施形態の書き込み処理を示すタイミングチャートである。
本実施形態では、モード設定回路１４により時刻表示モードが設定されている場合、駆動制御部１３は、Ｉ１の間隔で秒針４Ｃが駆動するように、モーター４０に駆動電流を出力する。本実施形態では、Ｉ１として、「１秒」が設定されている。すなわち、時刻表示モードが設定されている場合、駆動制御部１３は１秒間隔で秒針４Ｃを運針させることで、指針４Ａ〜４Ｃに時刻を表示させる。
なお、指針４Ａ〜４Ｃに時刻を表示させる表示動作は、本開示の時刻表示動作の一例である。
【００６５】
また、本実施形態では、モード設定回路１４により書き込みモードが設定されている場合、駆動制御部１３は、Ｉ２の間隔で秒針４Ｃが運針するように、モーター４０に駆動電流を出力する。本実施形態では、Ｉ２として、「０．５秒」が設定されている。すなわち、書き込みモードが設定されている場合、駆動制御部１３は０．５秒間隔で秒針４Ｃを運針させる。
なお、指針４Ｃを０．５秒間隔で運針させる表示動作は、本開示の書き込み表示動作の一例である。
【００６６】
ここで、本実施形態では、比較結果ラッチクロックがオンした際に、書き込み制御回路１７２が「０」をラッチした場合、駆動制御部１３は、秒針４Ｃの運針をＳｔ１停止させる。Ｓｔ１としては、例えば、「１０秒間」が設定されている。
また、比較結果ラッチクロックがオンした際に、書き込み制御回路１７２が「１」をラッチした場合、駆動制御部１３は、秒針４Ｃの運針をＳｔ１とは異なるＳｔ２停止させる。Ｓｔ２としては、例えば、「５秒間」が設定されている。すなわち、駆動制御部１３は、書き込み制御回路１７２が「０」をラッチした場合は秒針４Ｃの運針を１０秒間停止し、書き込み制御回路１７２が「１」をラッチした場合は秒針４Ｃの運針を５秒間停止させる。
なお、秒針４ＣをＳｔ１停止させる表示動作は、本開示の第１書き込み表示動作の一例であり、秒針４ＣをＳｔ２停止させる表示動作は、本開示の第２書き込み表示動作の一例である。
【００６７】
［第４実施形態の作用効果］
このような本実施形態によれば、以下の効果を得ることができる。
本実施形態では、駆動制御部１３は、モード設定回路１４により時刻表示モードが設定されている場合、秒針４Ｃを１秒間隔で運針させる。また、駆動制御部１３は、モード設定回路１４により書き込みモードが設定されている場合、秒針４Ｃを０．５秒間隔で運針させる。
これにより、作業者は、時刻表示モードが設定されているか、または、書き込みモードが設定いるかを容易に把握することができる。そのため、作業者の作業性を向上することができる。
【００６８】
本実施形態では、駆動制御部１３は、書き込み制御回路１７２が「０」をラッチした場合は秒針４Ｃの運針を１０秒間停止し、書き込み制御回路１７２が「１」をラッチした場合は秒針４Ｃの運針を５秒間停止させる。
これにより、作業者は、「０」が書き込まれているか、または、「１」が書き込まれているかを把握することができる。そうすると、例えば、「０」を書き込む必要があったところ、「１」が書き込まれてしまった場合に、作業者はこの誤りを把握できるので、書き込み処理を最初からやり直すことができる。そのため、誤った情報が書き込まれることを抑制することができる。
【００６９】
［変形例］
なお、本開示は前述の各実施形態に限定されるものではなく、本開示の目的を達成できる範囲での変形、改良等は本開示に含まれるものである。
【００７０】
前記各実施形態では、モード設定回路１４は、りゅうず７の操作に応じてモードを設定していたが、これに限定されない。例えば、時計１に外部操作部材としての操作ボタンを設け、モード設定回路１４は、当該操作ボタンの操作に応じてモードを設定するよう構成されていてもよい。
【００７１】
前記各実施形態では、温度比較回路１７２３は、Ｃ２Ｄ１、Ｃ２Ｄ２、Ｃ２Ｄ３、Ｃ２Ｄ４、Ｃ２Ｄ５と、Ｃ１Ｄ１、Ｃ１Ｄ２、Ｃ１Ｄ３、Ｃ１Ｄ４、Ｃ１Ｄ５とが一致した場合、温度比較回路１７２３は「０」を出力していたが、これに限定されない。例えば、温度比較回路１７２３は、Ｃ２Ｄ２、Ｃ２Ｄ３、Ｃ２Ｄ４、Ｃ２Ｄ５と、Ｃ１Ｄ２、Ｃ１Ｄ３、Ｃ１Ｄ４、Ｃ１Ｄ５とが一致した場合、温度比較回路１７２３は「０」を出力するよう構成されていてもよい。すなわち、温度比較回路１７２３は、測定温度情報Ｔを構成するデジタルデータのうち、上位４ビットのデータが一致していれば、「０」を出力するように構成されていてもよい。
これにより、例えば、最下位１ビットの違いが１℃相当の温度の違いに相当する場合、１℃相当の温度の違いであれば、温度比較回路１７２３は基準測定温度情報Ｔｓと書き込み測定温度情報Ｔｉとが同じであると判断する。つまり、１℃相当の温度の違いは許容される。そのため、作業者が、書き込み測定温度情報Ｔｉと基準測定温度情報Ｔｓとが同じになるように時計１の温度を設定する場合に、作業性を向上することができる。
【００７２】
前記各実施形態では、書き込み制御回路１７２は、書き込み測定温度情報Ｔｉと基準測定温度情報Ｔｓとが同じ場合は「０」を書き込み、異なる場合は「１」を書き込むように構成されていたが、これに限定されない。例えば、書き込み制御回路１７２は、書き込み測定温度情報Ｔｉが基準測定温度情報Ｔｓと同じ場合は「１」を書き込み、異なる場合は「０」を書き込むように構成されていてもよい。つまり、書き込み制御回路１７２は、書き込み測定温度情報Ｔｉと基準測定温度情報Ｔｓとが同じ場合は、０と１のうちの一方を書き込み、異なる場合は、０と１のうちの他方を書き込むように構成されていればよい。
【００７３】
前記各実施形態では、温度比較回路１７２３は、書き込み処理の開始後すぐに測定された基準測定温度情報Ｔｓと、ｔ１間隔で測定される書き込み測定温度情報Ｔｉとを比較するよう構成されていたが、これに限定されない。例えば、温度比較回路１７２３は、前回測定された測定温度情報Ｔと、今回測定された測定温度情報Ｔとを比較するように構成されていてもよい。
【００７４】
前記各実施形態では、書き込み制御回路１７２は、基準測定温度情報Ｔｓと書き込み測定温度情報Ｔｉとを比較して、「０」または「１」を書き込むよう構成されていたが、これに限定されない。例えば、書き込み制御回路１７２は、各温度に対応するデジタルデータをあらかじめ記憶しておき、書き込み測定温度情報Ｔｉを入力した場合に、当該書き込み測定温度情報Ｔｉに対応するデジタルデータを書き込むように構成されていてもよい。具体的には、書き込み制御回路１７２は、２５℃に対応するデジタルデータとして「０」、３０℃に対応するデジタルデータとして「１」をあらかじめ記憶する。そして、書き込み制御回路１７２は、書き込み測定温度情報Ｔｉが２５℃であれば「０」を、３０℃であれば「１」を書き込むように構成されていてもよい。このように書き込み制御回路１７２を構成することで、基準測定温度情報Ｔｓを取得する必要がなくなるので、書き込み処理の時間を短くすることができる。
【００７５】
前記各実施形態では、書き込み制御回路１７２は、書き込み処理を開始してからの経過時間ＤがＤ１を超えたら、ラッチしたデジタルデータを歩度調整データ記憶部１８２に書き込むように構成されていたが、これに限定されない。例えば、書き込み制御回路１７２は、所定のデジタルデータをラッチした後、りゅうず７に対して所定の終了操作が実行されたら、ラッチしたデジタルデータを歩度調整データ記憶部１８２に書き込むように構成されていてもよい。
【００７６】
前記各実施形態では、書き込み制御回路１７２は、歩度調整データＩＤおよび仕様切替データＳＤを書き込み可能に構成されていたが、これに限定されない。例えば、書き込み制御回路１７２は、使用される地域に関する情報を書き込み可能に構成されていてもよく、種々の情報を書き込み可能に構成することができる。
【００７７】
前記各実施形態では、時計１はアナログクオーツ時計に限定されず、デジタルクオーツ時計、アナログクオーツ時計とデジタルクオーツ時計の表示機能を有するコンビネーションクオーツ時計にも適用できる。さらに、時計１は、駆動源としてぜんまいを用い、当該ぜんまいで駆動される発電機で調速する電子制御式機械時計にも適用できる。
【００７８】
前記各実施形態では、時計１は腕時計タイプのものであるが、例えば、置時計であってもよい。
【符号の説明】
【００７９】
１…時計、２…外装ケース、３…文字板、４Ａ…時針、４Ｂ…分針、４Ｃ…秒針、６…日車、７…りゅうず、１０…ＩＣ、１１…発振回路、１２…分周回路、１３…駆動制御部、１４…モード設定回路、１６…温度測定回路（温度測定部）、１７…書き込み制御部、１８…歩度調整部、１９…仕様設定部、２０…電源、３０…水晶振動子、４０…モーター、１３１…パルス形成回路、１３２…ドライバー、１７１…書き込みモード移行回路、１７２…書き込み制御回路、１８１…歩度調整回路、１８２…歩度調整データ記憶部、１９１…仕様設定回路、１９２…仕様切替データ記憶部、１７２１…第１カウンター、１７２２…第２カウンター、１７２３…温度比較回路。
【図１】
2020173149.tif 000003
【図２】
2020173149.tif 000004
【図３】
2020173149.tif 000005
【図４】
2020173149.tif 000006
【図５】
2020173149.tif 000007
【図６】
2020173149.tif 000008
【図７】
2020173149.tif 000009
【図８】
2020173149.tif 000010